(57)【要約】  本発明に係る加湿清浄装置は、ベースボディと、上側が開口し、内部に水が保存され、前記ベースボディの上側に据え置かれ、前記ベースボディに対して分離可能な水槽と、前記水槽の上部に配置されるトップカバーアセンブリと、前記トップカバーアセンブリに配置され、前記水槽に水を供給する給水流路と、前記トップカバーアセンブリに配置され、前記水槽内部の空気が吐出される吐出流路とを備え、前記吐出流路と給水流路とは分離され、前記給水流路及び水槽間に吐出流路が形成される。本発明に係る加湿清浄装置は、給水流路及び吐出流路が分離されて構成されるので、空気が吐出されるときにも水を注いで給水を行うことができ、ビジュアルボディからトップカバーアセンブリが分離可能であるから、トップカバーアセンブリが分離された加湿モジュールの全体を水で洗って掃除できるという長所がある。【選択図】図７
2018536135.tif 000002
【特許請求の範囲】
【請求項１】
加湿清浄装置であって、
内側に水槽挿入空間が形成されたベースボディと、
上側が開口し、内部に水が保存され、前記水槽挿入空間に据え置かれ、前記ベースボディに対して分離可能な水槽と、
前記水槽の開口した上部に配置され、前記水槽と分離可能に据え置かれるトップカバーアセンブリと、
前記水槽の側部に形成され、前記水槽内部に空気が吸入されるエアーウォッシュ流入口と、
前記トップカバーアセンブリまたは水槽のうち、少なくともいずれか１つまたは前記トップカバーアセンブリ及び水槽間に形成された吐出流路と、
前記トップカバーアセンブリ内側に配置され、前記水槽内部に水を案内する給水流路と、を備えてなる、加湿清浄装置。
【請求項２】
前記トップカバーアセンブリの上側で上部給水されるとき、給水された水は、前記給水流路を介して前記水槽内部に流動する、請求項１に記載の加湿清浄装置。
【請求項３】
前記トップカバーアセンブリは、前記水槽と分離可能であり、前記水槽の開口した上側に据え置かれる、請求項１に記載の加湿清浄装置。
【請求項４】
前記水槽のうち、少なくとも一部は、外部から内部を透視して見ることができる材質で形成されたビジュアルボディを備え、
前記ビジュアルボディは、前記水槽の上側に配置され、前記水槽とともに前記ベースボディから分離可能である、請求項１に記載の加湿清浄装置。
【請求項５】
前記水槽のうち、少なくとも一部は、外部から内部を透視して見ることができる材質で形成されたビジュアルボディを備え、
前記ビジュアルボディは、前記水槽の上側に配置され、前記水槽とともに前記ベースボディから分離可能である、請求項１に記載の加湿清浄装置。
【請求項６】
前記水槽のうちの少なくとも一部は、外部から内部を透視して見ることができる材質で形成されたビジュアルボディを備え、
前記ビジュアルボディは、前記水槽の開口した上側に配置され、前記水槽とともに前記ベースボディから分離可能であり、
前記ビジュアルボディは、コネクタ開口部を備え、前記トップカバーアセンブリがビジュアルボディに据え置かれるとき、前記ベースコネクタ及びトップコネクタは、前記コネクタ開口部を介して接触され、電気的に連結される、請求項５に記載の加湿清浄装置。
【請求項７】
前記ビジュアルボディは、前記トップコネクタが据え置かれるコネクタ据え置き部をさらに備え、
前記コネクタ開口部は、前記コネクタ据え置き部に形成された、請求項６に記載の加湿清浄装置。
【請求項８】
前記ベースコネクタは、ベースコネクタ通信部をさらに備え、
前記トップコネクタは、トップコネクタ通信部をさらに備え、
前記ベースコネクタ通信部及びトップコネクタ通信部の各制御信号は、前記ビジュアルボディを通過して相互送受信される、請求項５に記載の加湿清浄装置。
【請求項９】
前記ベースコネクタ通信部及びトップコネクタ通信部は、ＩＲ信号によって制御信号を相互送受信し、
前記トップコネクタは、前記ＩＲ信号を透過させるトップコネクタウィンドウをさらに備え、
前記ベースコネクタは、前記ＩＲ信号を透過させるベースコネクタウィンドウをさらに備え、
前記コネクタ据え置き部は、前記ＩＲ信号を透過させる透明な材質で形成された、請求項８に記載の加湿清浄装置。
【請求項１０】
前記トップカバーアセンブリは、
前記給水流路及び吐出流路が各々分離されて形成されたトップカバーグリルと、
前記トップカバーグリルに組み立てられ、ユーザの操作信号を受信する操作モジュールと、
前記操作モジュールに電源または制御信号を提供する前記トップコネクタと、を備え、
前記トップカバーアセンブリがビジュアルボディに据え置かれるとき、前記ベースコネクタ及びトップコネクタが電気的に連結される、請求項１に記載の加湿清浄装置。
【請求項１１】
前記操作モジュールは、上部給水された水を前記給水流路に案内する上部給水ガイドをさらに備える、請求項１０に記載の加湿清浄装置。
【請求項１２】
前記操作モジュールは、内側に前記給水流路のうち、少なくとも一部を形成する操作給水口をさらに備え、
前記吐出グリルに形成された給水流路は、前記操作給水口と連通された、請求項１０に記載の加湿清浄装置。
【請求項１３】
前記操作モジュールは、
前記吐出グリルと組み立てられる操作ハウジングと、
前記操作ハウジングの内側に形成され、前記給水流路のうち、少なくとも一部を形成する操作給水口と、
前記操作ハウジングに配置され、ユーザの操作信号を受信する入力部と、
前記入力部を制御する操作制御部と、を備え、
前記操作制御部は、前記トップコネクタと電気的に連結される請求項１０に記載の加湿清浄装置。
【請求項１４】
前記操作モジュールは、
前記吐出グリルと組み立てられる操作ハウジングと、
前記操作ハウジングの内側に形成され、前記給水流路のうち、少なくとも一部を形成する操作給水口と、
前記操作ハウジングに配置され、ユーザの操作信号を受信する入力部と、
前記入力部を制御する操作制御部と、を備え、
前記操作制御部は、前記トップコネクタと電気的に連結される、請求項１０に記載の加湿清浄装置。
【請求項１５】
前記上部操作ハウジング、下部操作ハウジング、及びインナーウォール間に操作空間が形成され、
前記操作空間は、前記給水流路に対して密閉され、
前記操作空間に前記操作制御部及び入力部が配置された、請求項１４に記載の加湿清浄装置。
【請求項１６】
前記上部操作ハウジングは、前記操作給水口に上部給水された水を案内する上部給水ガイドをさらに備え、
前記上部給水ガイドは、前記上部操作ハウジングに形成された傾斜面である、請求項１４に記載の加湿清浄装置。
【請求項１７】
前記操作モジュールは、前記水槽に保存された水位を表示する水位表示部をさらに備え、
上部給水の際、前記水位表示部は、前記操作ハウジングに水位を表示する、請求項１３に記載の加湿清浄装置。
【請求項１８】
前記操作ハウジングの上側面は、
前記操作給水口に向かって傾斜して形成されたインナー傾斜面及び前記インナー傾斜面と反対方向に傾斜して形成されたアウター傾斜面をさらに備え、
前記入力部は、前記アウター傾斜面に配置され、前記水位表示部は、前記インナー傾斜面に配置され、
前記入力部、操作給水口、及び水位表示部は、ユーザの視線に対して直線上に配置された、請求項１７に記載の加湿清浄装置。
【請求項１９】
前記トップカバーアセンブリの下側に吐出加湿媒体が配置され、
前記吐出加湿媒体は、前記吐出流路をカバーし、前記吐出流路を通過する空気を加湿する、請求項１〜１８のいずれか１項に記載の加湿清浄装置。
【発明の詳細な説明】
【技術分野】
【０００１】
本発明は、加湿清浄装置に関するものである。
【背景技術】
【０００２】
空気調和装置は、空気の温度を制御するエアコン、空気の異物を除去して清浄度を維持させる空気清浄器、空気中に水分を提供する加湿器、空気中の水分を除去する除湿機などがある。
【０００３】
従来の加湿器は、振動板で水を霧化させて空気中に吐出する振動式及び加湿フィルタで自然蒸発させる自然蒸発式に区分される。
【０００４】
前記自然蒸発式加湿器は、駆動力を利用してディスクを回転させ、空気中のディスク表面で水が自然蒸発されるディスク式加湿器と、水で濡らした加湿媒体において流動する空気により自然蒸発される加湿フィルタ式加湿器とに区分される。
【０００５】
従来の加湿器は、加湿過程で流動する空気のうちの一部がフィルタでろ過された。
【０００６】
しかし、従来の加湿器は、湿度の低い季節にのみ使用され、空気清浄器は、加湿機能がないため、２つの製品を備えなければならないという問題点があった。
【０００７】
また、従来の加湿器は、加湿機能が主な機能であり、空気を浄化する空気清浄機能は、部が的な機能であるため、空気清浄機能が微弱な問題点があった。
また、従来の加湿器または空気清浄器は、加湿または空気清浄を区分して別に作動させることができないという問題点があった。
【発明の概要】
【発明が解決しようとする課題】
【０００８】
本発明は、空気が吐出される途中でも水を給水できる加湿清浄装置を提供することにその目的がある。
【０００９】
本発明は、ユーザが操作給水口に水を注ぐとき、水槽の水位を確認できる加湿清浄装置を提供することにその目的がある。
【００１０】
本発明は、トップカバーアセンブリを分離できる加湿清浄装置を提供することにその目的がある。
【００１１】
本発明は、分離可能なトップカバーアセンブリに電源及び制御信号を送受信できる加湿清浄装置を提供することにその目的がある。
【００１２】
本発明は、分離可能なトップカバーアセンブリをビジュアルボディに据え置くことができ、ビジュアルボディに据え置かれた状態で電源及び制御信号を送受信できる加湿清浄装置を提供することにその目的がある。
本発明の課題は、以上で言及した課題に制限されず、言及されていないさらに他の課題は、下記の記載から当業者に明確に理解され得るであろう。
【課題を解決するための手段】
【００１３】
本発明に係る加湿清浄装置は、加湿がなされる過程でも水を給水できる。
【００１４】
本発明に係る加湿清浄装置は、電源の供給を受けるトップカバーアセンブリを分離でき、上部給水中にも水槽の水位を直ちに確認することができる。
【００１５】
本発明に係る加湿清浄装置は、トップカバーアセンブリを分離した後、ビジュアルボディ内部を掃除することができる。
【００１６】
本発明に係る加湿清浄装置は、空気清浄がなされるエアークリーンモジュールから加湿がなされるエアーウォッシュモジュールを分離でき、連結流路を介してエアークリーンモジュールのろ過空気をエアーウォッシュモジュールに供給して加湿することができる。
【００１７】
本発明に係る加湿清浄装置は、内側に水槽挿入空間が形成されたベースボディと、上側が開口し、内部に水が保存され、前記水槽挿入空間に据え置かれ、前記ベースボディに対して分離可能な水槽と、前記水槽の開口した上部に配置され、前記水槽と分離可能に据え置かれるトップカバーアセンブリと、前記水槽の側部に形成され、前記水槽内部に空気が吸入されるエアーウォッシュ流入口と、前記トップカバーアセンブリまたは水槽のうち、少なくともいずれか１つまたは前記トップカバーアセンブリ及び水槽間に形成された吐出流路と、前記トップカバーアセンブリ内側に配置され、前記水槽内部に水を案内する給水流路とを備える。
【００１８】
前記トップカバーアセンブリの上側で上部給水されるとき、給水された水は、前記給水流路を介して前記水槽内部に流動し得る。
【００１９】
前記トップカバーアセンブリは、前記水槽と分離可能であり、前記水槽の開口した上側に据え置かれることができる。
【００２０】
前記水槽のうち、少なくとも一部は、外部から内部を透視して見ることができる材質で形成されたビジュアルボディを備え、前記ビジュアルボディは、前記水槽の上側に配置され、前記水槽とともに前記ベースボディから分離可能でありうる。
【００２１】
前記ベースボディは、ベースコネクタを備え、前記トップカバーアセンブリは、トップコネクタを備え、前記ベースコネクタ及びトップコネクタが電気的に連結され得る。
【００２２】
前記水槽のうち、少なくとも一部は、外部から内部を透視して見ることができる材質で形成されたビジュアルボディを備え、前記ビジュアルボディは、前記水槽の開口した上側に配置され、前記水槽とともに前記ベースボディから分離可能であり、前記ビジュアルボディは、コネクタ開口部を備え、前記トップカバーアセンブリがビジュアルボディに据え置かれるとき、前記ベースコネクタ及びトップコネクタは、前記コネクタ開口部を介して接触され、電気的に連結されることができる。
【００２３】
前記ビジュアルボディは、前記トップコネクタが据え置かれるコネクタ据え置き部をさらに備え、前記コネクタ開口部は、前記コネクタ据え置き部に形成されることができる。
【００２４】
前記ベースコネクタは、ベースコネクタ通信部をさらに備え、前記トップコネクタは、トップコネクタ通信部をさらに備え、前記ベースコネクタ通信部及びトップコネクタ通信部の各制御信号は、前記ビジュアルボディを通過して相互送受信されることができる。
【００２５】
前記ベースコネクタ通信部及びトップコネクタ通信部は、ＩＲ信号によって制御信号を相互送受信し、前記トップコネクタは、前記ＩＲ信号を透過させるトップコネクタウィンドウをさらに備え、前記ベースコネクタは、前記ＩＲ信号を透過させるベースコネクタウィンドウをさらに備え、前記コネクタ据え置き部は、前記ＩＲ信号を透過させる透明な材質で形成されることができる。
【００２６】
前記トップカバーアセンブリは、前記給水流路及び吐出流路が各々分離されて形成されたトップカバーグリルと、前記トップカバーグリルに組み立てられ、ユーザの操作信号を受信する操作モジュールと、前記操作モジュールに電源または制御信号を提供する前記トップコネクタとを備え、前記トップカバーアセンブリがビジュアルボディに据え置かれるとき、前記ベースコネクタ及びトップコネクタが電気的に連結され得る。
【００２７】
前記操作モジュールは、上部給水された水を前記給水流路に案内する上部給水ガイドをさらに備えることができる。
【００２８】
前記操作モジュールは、内側に前記給水流路のうち、少なくとも一部を形成する操作給水口をさらに備え、前記吐出グリルに形成された給水流路は、前記操作給水口と連通されることができる。
【００２９】
前記操作モジュールは、前記吐出グリルと組み立てられる操作ハウジングと、前記操作ハウジングの内側に形成され、前記給水流路のうち、少なくとも一部を形成する操作給水口と、前記操作ハウジングに配置され、ユーザの操作信号を受信する入力部と、前記入力部を制御する操作制御部とを備え、前記操作制御部は、前記トップコネクタと電気的に連結されることができる。
【００３０】
前記操作ハウジングは、内側に前記給水流路が形成された上部操作ハウジングと、前記上部操作ハウジングと組み立てられ、内側に前記給水流路を形成する下部操作ハウジングと、前記上部操作ハウジングまたは下部操作ハウジングのうち、少なくともいずれか１つに配置され、前記操作給水口を形成するインナーウォールとを備えることができる。
【００３１】
前記上部操作ハウジング、下部操作ハウジング、及びインナーウォール間に操作空間が形成され、前記操作空間は、前記給水流路に対して密閉され、前記操作空間に前記操作制御部及び入力部が配置され得る。
【００３２】
前記上部操作ハウジングは、前記操作給水口に上部給水された水を案内する上部給水ガイドをさらに備え、前記上部給水ガイドは、前記上部操作ハウジングに形成され得る。
【００３３】
前記操作モジュールは、前記水槽に保存された水位を表示する水位表示部をさらに備え、上部給水の際、前記水位表示部は、前記操作ハウジングに水位を表示することができる。
【００３４】
前記操作ハウジングの上側面は、前記操作給水口に向かって傾斜して形成されたインナー傾斜面及び前記インナー傾斜面と反対方向に傾斜して形成されたアウター傾斜面をさらに備え、前記入力部は、前記アウター傾斜面に配置され、前記水位表示部は、前記インナー傾斜面に配置され、前記入力部、操作給水口、及び水位表示部は、ユーザの視線に対して直線上に配置されることができる。
【００３５】
前記トップカバーアセンブリ下側に吐出加湿媒体が配置され、前記吐出加湿媒体は、前記吐出流路をカバーし、前記吐出流路を通過する空気を加湿できる。
【発明の効果】
【００３６】
本発明に係る加湿清浄装置は、次のような効果が１つあるいはそれ以上ある。
【００３７】
第１に、給水流路及び吐出流路が分離されて構成されるので、空気が吐出されるときにも水を注いで給水を行うことができるという長所がある。
【００３８】
第２に、操作給水口に水を注いで上部給水を行うとき、水槽に保存される水の水位を直ちに確認できるという長所がある。
【００３９】
第３に、電気回路が内蔵されたトップカバーアセンブリを分離でき、トップカバーアセンブリが据え置かれるときにのみ電気的に連結されるという長所がある。
【００４０】
第４に、ビジュアルボディからトップカバーアセンブリが分離可能であるから、トップカバーアセンブリが分離された加湿モジュールの全体を水で洗って掃除できるという長所がある。
【００４１】
第５に、ベースコネクタ及びトップコネクタがビジュアルボディを貫通して電気的に連結されるので、トップカバーアセンブリをビジュアルボディに据え置きしても電源の提供を受けることができるという長所がある。
【００４２】
第６に、トップコネクタ及びベースコネクタの接触を介して電源の提供を受け、制御信号は、通信部を介して無線で送受信するので、電気的な接触を最小化することができるという長所がある。
【００４３】
第７に、操作モジュールの内側に給水流路が配置され、外側に吐出流路が配置されるので、給水される水と吐出される空気との干渉を最小化でき、空気が吐出される加湿中にも上部給水できるという長所がある。
【００４４】
第８に、給水流路が形成された操作ハウジングに水槽の水位が表示されるので、ユーザが上部給水するとき、水位を確認しつつ、供給する水の量を調節できるという長所がある。
【００４５】
第９に、トップカバーアセンブリが分離可能にビジュアルボディに据え置かれても、外部から電源の供給を受けて操作モジュールを作動させることができるという長所がある。
本発明の効果は、以上で言及した効果に制限されず、言及されていないさらに他の効果は、請求の範囲の記載から当業者に明確に理解され得るであろう。
【図面の簡単な説明】
【００４６】
【図１】本発明の第１の実施形態に係る加湿清浄装置の斜視図である。
【図２】図１の分解斜視図である。
【図３】図１の分解正面図である。
【図４】図３の分解断面図である。
【図５】本発明の第１の実施形態に係る加湿清浄装置の空気流れが示された例示図である。
【図６】図４に示された加湿清浄装置の空気流れが示された例示図である。
【図７】図２に示されたエアーウォッシュモジュールからトップカバーアセンブリが分離された斜視図である。
【図８】図７に示されたトップカバーアセンブリ及び吐出加湿媒体ハウジングの分離斜視図である。
【図９】図８の下側から見た斜視図である。
【図１０】図８の正面図である。
【図１１】図１０のＡ−Ａに沿って切断された断面図である。
【図１２】図８のトップカバーアセンブリから上部操作ハウジングが分離された分解斜視図である。
【図１３】図１２の下側から見た斜視図である。
【発明を実施するための形態】
【００４７】
本発明の利点及び特徴、そして、それらを達成する方法は、添付される図面とともに詳細に後述されている実施形態を参照すれば明確になるであろう。しかし、本発明は、以下において開示される実施形態等に限定されるものではなく、互いに異なる様々な形態で実現されることができ、ただし、本実施形態等は、本発明の開示が完全なようにし、本発明の属する技術分野における通常の知識を有する者に発明の範疇を完全に知らせるために提供されるものであり、本発明は、請求項の範疇により定義されるだけである。明細書全体にわたって同一参照符号は、同一構成要素を指す。
【００４８】
以下、本発明の実施形態を添付された図面を参照して詳細に説明する。
【００４９】
図１は、本発明の第１の実施形態に係る加湿清浄装置の斜視図であり、図２は、図１の分解斜視図であり、図３は、図１の分解正面図であり、図４は、図３の分解断面図であり、図５は、本発明の第１の実施形態に係る加湿清浄装置の空気流れが示された例示図であり、図６は、図４に示された加湿清浄装置の空気流れが示された例示図である。
【００５０】
本実施形態に係る加湿清浄装置は、エアークリーンモジュール１００及び前記エアークリーンモジュール１００上側に据え置かれるエアーウォッシュモジュール２００を備える。
【００５１】
前記エアークリーンモジュール１００は、外部空気を吸入した後にろ過し、ろ過空気を前記エアーウォッシュモジュール２００に提供する。前記エアーウォッシュモジュール２００は、前記ろ過空気の供給を受けて水分を提供する加湿を行い、加湿空気を外部に吐出する。
【００５２】
前記エアーウォッシュモジュール２００は、水が保存される水槽３００を備える。前記水槽３００は、前記エアーウォッシュモジュール２００が分離されるとき、前記エアークリーンモジュール１００から分離可能である。前記エアーウォッシュモジュール２００は、エアークリーンモジュール１００上に据え置かれる。
【００５３】
ユーザは、前記エアーウォッシュモジュール２００をエアークリーンモジュール１００から分離することができ、分離されたエアーウォッシュモジュール２００を掃除することができる。ユーザは、エアーウォッシュモジュール２００が分離されたエアークリーンモジュール１００内部を掃除することもできる。前記エアーウォッシュモジュール２００が分離された場合、前記エアークリーンモジュール１００の上面がユーザに開放される。
【００５４】
前記エアークリーンモジュール１００は、後述するフィルタアセンブリ１０を備え、ベースボディ１１０からフィルタアセンブリ１０を分離した後、掃除することができる。
【００５５】
ユーザは、前記エアーウォッシュモジュール２００に水を供給できる。前記エアーウォッシュモジュール２００には、外部から前記水槽３００へ水を供給できる給水流路１０９が形成される。
【００５６】
前記給水流路１０９は、空気が吐出される吐出流路１０７と分離されて構成される。前記給水流路１０９は、いつでも前記水槽に水を供給できるように構成される。例えば、前記エアーウォッシュモジュール２００が作動中であるときにも給水流路を介して水を供給できる。例えば、前記エアーウォッシュモジュール２００がエアークリーンモジュール１００に結合された状態でも給水流路を介して水を供給できる。例えば、前記エアーウォッシュモジュール２００がエアークリーンモジュール１００から分離される状態であるときにも給水流路を介して水を供給できる。
【００５７】
前記エアークリーンモジュール１００及びエアーウォッシュモジュール２００は、連結流路１０３を介して連結される。前記エアーウォッシュモジュール２００が分離可能であるため、前記連結流路１０３は、エアークリーンモジュール１００及びエアーウォッシュモジュール２００に分散されて配置される。前記エアーウォッシュモジュール２００がエアークリーンモジュール１００に据え置かれるとき、初めてエアーウォッシュモジュール２００の流路とエアークリーンモジュール１００の流路とが連結流路１０３を介して互いに連通される。
【００５８】
前記エアークリーンモジュール１００に形成された連結流路をクリーン連結流路１０４と定義し、前記エアーウォッシュモジュール２００に形成された連結流路を加湿連結流路１０５と定義する。
【００５９】
前記エアークリーンモジュール１００及びエアーウォッシュモジュール２００を通過する空気の流動は、より詳細に後述する。
【００６０】
以下、エアークリーンモジュール１００及びエアーウォッシュモジュール２００についてより詳細に説明する。
【００６１】
前記エアークリーンモジュール１００は、ベースボディ１１０と、前記ベースボディ１１０に配置され、空気をろ過させるフィルタアセンブリ１０と、前記ベースボディ１１０に配置され、空気を流動させる送風ユニット２０とを備える。
【００６２】
前記エアーウォッシュモジュール２００は、加湿のための水が保存され、前記エアークリーンモジュール１００に分離可能に据え置かれる水槽３００と、前記水槽３００に配置され、前記水槽３００内部に配置され、前記水槽の水を噴射するウォータリングユニット４００と、前記ウォータリングユニット４００から噴射された水により濡らされ、流動する空気に水分を提供する加湿媒体５０と、前記水槽３００に結合され、内部を見ることができる材質で形成されたビジュアルボディ２１０と、前記ビジュアルボディ２１０に分離可能に据え置かれ、空気が吐出される吐出流路１０７及び水が供給される給水流路１０９が形成されたトップカバーアセンブリ２３０とを備える。
【００６３】
前記エアークリーンモジュール１００には、吸入流路１０１、ろ過流路１０２、送風流路１０８、クリーン連結流路１０４が配置される。前記吸入流路１０１を介して吸入された空気は、ろ過流路１０２、送風流路１０８を経てクリーン流路１０４に流動する。
【００６４】
前記エアーウォッシュモジュール２００は、加湿連結流路１０５、加湿流路１０６、吐出流路１０７、及び給水流路１０９が配置される。
【００６５】
前記エアークリーンモジュール１００のクリーン連結流路１０４及びエアーウォッシュモジュール２００の加湿連結流路１０５は、エアーウォッシュモジュール２００がエアークリーンモジュール１００に据え置かれるとき、初めて連結される。
【００６６】
前記エアーウォッシュモジュール２００の加湿連結流路１０５を介して供給されたろ過空気は、加湿流路１０６及び吐出流路１０７を経て室内に吐出される。前記給水流路１０９は、加湿流路１０６と連通されるが、空気は吐出させず、水のみ給水され得る構造で製作される。
【００６７】
まず、エアークリーンモジュール１００の各構成について説明する。
【００６８】
前記ベースボディ１１０は、アッパーボディ１２０及びロアボディ１３０で構成される。前記ロアボディ１３０上側に前記アッパーボディ１２０が積層され、前記アッパーボディ１２０及びロアボディ１３０は組み立てられる。
【００６９】
前記ベースボディ１１０内部に空気が流動する。
【００７０】
前記ロアボディ１３０に吸入流路１０１、ろ過流路１０２、及び送風流路１０８が配置され、前記吸入流路１０１、ろ過流路１０２、及び送風流路１０８を形成させる構造物等が配置される。
【００７１】
前記アッパーボディ１２０に連結流路１０３の一部が配置され、ろ過された空気を前記エアーウォッシュモジュール２００に案内するための構造物等及びエアーウォッシュモジュール２００を据え置くための構造物等が配置される。
【００７２】
前記ベースボディ１１０は、外形を形成し、下側面に吸入口１１１が形成されたロアボディ１３０と、外形を形成し、前記ロアボディ１３０上側に結合されるアッパーボディ１２０とを備える。
【００７３】
前記フィルタアセンブリ１０は、前記ベースボディ１１０から脱着可能に組み立てられる。
【００７４】
前記フィルタアセンブリ１０は、ろ過流路１０２を提供し、外部空気に対してフィルタリングを行う。前記フィルタアセンブリ１０は、前記ベースボディ１１０に対して水平方向に脱着可能な構造である。前記フィルタアセンブリ１０は、垂直方向を逆らって流動する空気の流動方向に対して交差するように配置される。前記フィルタアセンブリ１０は、水平方向にスライド移動され、垂直方向上側に流動する空気に対してろ過を行う。前記フィルタアセンブリ１０は、水平に配置され、上下方向にろ過流路１０２を形成する。
【００７５】
前記フィルタアセンブリ１０は、前記ベースボディ１１０に対して水平方向に摺動されることができる。
【００７６】
前記フィルタアセンブリ１０は、前記ロアボディ１３０内部に配置され、ろ過流路１０２を形成するフィルタハウジング１１と、前記フィルタハウジング１１に分離可能に結合され、前記ろ過流路１０２を通過する空気に対してろ過を行うフィルタ１４とを備える。
【００７７】
前記フィルタハウジング１２は、下側が吸入流路１０１と連通され、上側が送風流路１０８と連通される。前記吸入流路１０１を介して吸入された空気は、ろ過流路１０２を経て送風流路１０８に流動する。
【００７８】
前記フィルタハウジング１２は、前記ろ過流路１０２と交差する方向に一側が開口する。前記フィルタハウジング１２の開口面を介して前記フィルタ１４が分離可能に結合され得る。前記フィルタハウジング１２の開口面は、側方向に形成される。前記フィルタハウジング１２の開口面は、ロアボディ１３０の外側面に配置される。これにより、前記フィルタ１４は、前記ロアボディ１３０の側面を介して挿入され、フィルタハウジング１２内部に位置する。前記フィルタ１４は、前記ろ過流路１０２と交差するように配置され、前記ろ過流路１０２を通過する空気に対してろ過を行う。
【００７９】
前記フィルタ１４は、印加された電源を帯電させて空気中の異物を捕集する電気集塵フィルタでありうる。前記フィルタ１４は、ろ過材を介して空気中の異物を捕集する材質で形成されることができる。前記フィルタ１４は、様々な構造が配置され得る。前記フィルタ１４のろ過方式またはフィルタのろ過材によって本発明の権利が制限されない。
【００８０】
前記ろ過流路１０２は、加湿清浄装置の主な流動方向と同じ方向に配置される。本実施形態において前記ろ過流路１０２は、上下方向に配置され、重力反対方向に空気を流動させる。すなわち、前記加湿清浄装置の主な流動方向は、下側から上側に向かうように形成される。
【００８１】
前記フィルタハウジング１２の上側に送風ユニット２０が配置される。
前記フィルタハウジング１２の上側面は、開口して形成され、前記ろ過流路１０２を通過した空気は、前記送風ユニット２０に流動する。
【００８２】
前記送風ユニット２０は、空気の流動を生成させる。前記送風ユニット２０は、前記ベースボディ１１０内部に配置され、下側から上側に空気を流動させる。
【００８３】
前記送風ユニット２０は、送風ハウジング１５０、送風モータ２２、及び送風ファン２４で構成される。本実施形態において前記送風モータ２２が上側に配置され、送風ファン２４が下側に配置される。前記送風モータ２２のモータ軸が下方に向かって設けられ、前記送風ファン２４と組み立てられる。
【００８４】
前記送風ハウジング１５０は、前記ベースボディ１１０内部に配置される。前記送風ハウジング１５０は、流動する空気の流路を提供する。前記送風ハウジング１５０に前記送風モータ２２及び送風ファン２４が配置される。
【００８５】
前記送風ハウジング１５０は、前記フィルタアセンブリ１０上側に配置され、前記アッパーボディ１２０下側に配置される。
【００８６】
前記送風ハウジング１５０は、内部に送風流路１０８を形成させる。前記送風流路１０８に前記送風ファン２４が配置される。前記送風流路１０８は、ろ過流路１０２及びクリーン連結流路１０４を連結させる。
【００８７】
前記送風ファン２４は、遠心ファンであって、下側で空気を吸入した後、半径方向外側に空気を吐出させる。前記送風ファン２４は、半径方向外側及び上側に空気を吐出させる。前記送風ファン２４は、外側端が半径方向上側に向かうように形成される。
【００８８】
前記送風モータ２２は、流動する空気との接触を最小化させるために、前記送風ファン２４の上側に配置される。前記送風モータ２２は、送風ファン２４により囲まれて設けられる。前記送風モータ２２は、前記送風ファン２４による空気流路上に位置せず、送風ファン２４により流動する空気と抵抗を発生させない。
【００８９】
前記アッパーボディ１２０は、ベースボディ１１０の外形を形成し、ロアボディ１３０と結合されるアッパーアウターボディ１２８と、前記アッパーアウターボディ１２８の内側に配置され、前記水槽３００が挿入され、連結流路１０３を提供するアッパーインナーボディ１４０と、前記アッパーインナーボディ１４０及びアッパーアウターボディ１２８を結合させ、空気を前記水槽３００に案内するエアーガイド１７０とを備える。
【００９０】
前記アッパーボディ１２０は、連結流路及び水槽挿入空間を分離して配置するので、水槽３００の水が連結流路に流入することを最小化できる。特に、アッパーインナーボディを介して仕切られて連結流路が水が保存される空間の外側に配置されるので、水が連結流路に流入することを抑制できる。
【００９１】
前記アッパーインナーボディ１４０は、上側が開口して形成され、前記水槽３００が挿入される。前記アッパーインナーボディ１４０は、ろ過空気が流入するクリーン連結流路１０４のうちの一部を形成する。
【００９２】
前記アッパーインナーボディ１４０は、エアーウォッシュ流入口３１と対応するアッパー流入口１２１が形成される。前記アッパー流入口１２１は、必須構成要素ではない。アッパーボディ１２０が前記エアーウォッシュ流入口３１を連結流路１０３に露出させる形状であれば、それで十分である。
【００９３】
前記エアーガイド１７０は、クリーン連結流路１０４を介して供給された空気を前記アッパー流入口１２１に案内する。前記エアーガイド１７０は、ベースボディ１１０の外側に沿って上昇された空気を内側に集める。前記エアーガイド１７０は、下側から上側に流動する空気の流動方向を切り換える。ただし、前記エアーガイド１７０は、空気の流動方向を切り換えるものの、その角度を最小化させて空気の流動抵抗を最小化させる。
【００９４】
前記エアーガイド１７０は、アッパーインナーボディ１４０の外側を３６０度囲むように形成される。前記エアーガイド１７０は、３６０度全方向に対して空気を前記水槽３００に案内する。前記エアーガイド１７０は、ロアボディ１３０の外側に沿って案内された空気を内側に集めて水槽３００に供給する。このような構造により前記水槽３００に供給される空気の流量を十分確保できる。
【００９５】
これにより、前記エアーガイド１７０は、空気の流動方向に形成された案内部１７２と、前記案内部１７２と連結され、案内された空気の流動方向を切り換える切換部１７４とを備える。
【００９６】
前記エアーガイド１７０は、連結流路１０３を形成する。
【００９７】
前記案内部１７２は、ろ過流路１０２と略同じ方向に形成され、本実施形態では、上下方向に形成される。前記切換部１７４は、前記ろ過流路１０２と交差する方向に形成され、本実施形態では、略水平方向に形成される。
【００９８】
前記切換部１７４は、エアーガイド１７０の上側に形成される。前記切換部１７２は、案内部１７２と曲面に連結されることが好ましい。
【００９９】
前記切換部１７４が水平方向に形成されても、前記連結流路１０３を通過する空気は、略傾斜した上側方向に流動する。前記連結流路１０３及びろ過流路１０２の転流角を直進方向と類似して形成し、空気の流動抵抗を低減できる。
【０１００】
前記案内部１７２の下端が前記アッパーアウターボディ１２８に固定される。前記切換部１７４の上側端が前記アッパーインナーボディ１４０に固定される。
【０１０１】
前記アッパーインナーボディ１４０外側に前記クリーン連結流路１０４のうちの一部が形成される。前記エアーガイド１７０がクリーン連結流路１０４のうちの一部を形成する。前記クリーン連結流路１０４を通過した空気は、アッパー流入口１２１及びエアーウォッシュ流入口３１を介して水槽３００内部に流動する。
【０１０２】
前記アッパーインナーボディ１４０は、全体的にバスケット状である。前記アッパーインナーボディ１４０は、平断面が円形に形成され、前記クリーン連結流路１０４は、３６０度全方向に形成される。
【０１０３】
前記エアーガイド１７０は、ろ過空気を前記クリーン連結流路１０４に案内するための構成であり、実施形態によって含まれないこともある。前記エアーガイド１７０は、アッパーインナーボディ１４０またはアッパーアウターボディ１２８を結合させる。
【０１０４】
前記エアーガイド１７０は、前記アッパーインナーボディ１４０を囲むように形成される。特に、前記エアーガイド１７０は、アッパー流入口１２１を囲むように形成され、前記アッパー流入口１２１にろ過空気を案内する。平面から見るとき、前記エアーガイド１７０は、ドーナッツ状である。
【０１０５】
本実施形態において前記エアーガイド１７０の上端は、前記アッパーインナーボディ１４０の上端に密着される。
【０１０６】
平面から見るとき、前記エアーガイド１７０の上側面と前記アッパーインナーボディ１４０の上側面とが一致する。本実施形態において前記アッパーインナーボディ１４０の上端には、前記エアーガイド１７０と結合または密着されるアッパーインナーボディリング１２６が形成される。
【０１０７】
前記アッパーインナーボディ１４０及びアッパーインナーボディリング１２６を連結されるインナーボディ延長部１４８が形成される。前記インナーボディ延長部１４８は、複数個が配置される。前記インナーボディ延長部１４８及びアッパーインナーボディリング１２６間にアッパー流入口１２１が形成される。
【０１０８】
前記インナーボディ延長部１４８は、水槽ボディ延長部３８０と対応する。前記水槽３００の据え置きの際、前記インナーボディ延長部１４８の内側に水槽ボディ延長部３８０が位置する。前記インナーボディ延長部１４８及び水槽ボディ延長部３８０は、内外に重なる。
【０１０９】
前記エアーガイド１７０の上端は、前記アッパーインナーボディリング１２６と密着または結合される。前記エアーガイド１７０の下端は、アッパーアウターボディ１２８と密着または結合される。
【０１１０】
これにより、前記アッパーインナーボディ１４０及びアッパーアウターボディ１２８間のクリーン連結流路１０４を介して流動する空気は、アッパー流入口１２１に案内される。
【０１１１】
前記アッパーインナーボディリング１２６の直径と前記エアーガイド１７０上端の直径とが一致するか、類似している。前記エアーガイド１７０及びアッパーインナーボディリング１２６が密着されてろ過空気の漏れを防止する。前記アッパーインナーボディリング１２６は、エアーガイド１７０の内側に配置される。
【０１１２】
前記アッパーアウターボディ１２８に取っ手１２９が形成され得る。前記アッパーボディ１２０にエアーウォッシュモジュール２００が据え置かれるところ、前記取っ手１２９を介して加湿清浄装置全体を持ち上げることができる。
【０１１３】
前記アッパーインナーボディ１４０は、水槽３００が挿入され得るように内部に水槽挿入空間１２５が形成される。
【０１１４】
前記アッパー流入口１２１を基準に外側にクリーン連結流路１０４が配置され、内側に水槽挿入空間１２５が配置される。前記クリーン連結流路１０４に沿って流動した空気は、アッパー流入口１２１を通過する。前記水槽３００が水槽挿入空間１２５に据え置かれた場合、前記アッパー流入口１２１を通過したろ過空気は、水槽３００内部に流入する。
【０１１５】
一方、アッパーボディ１２０の上側にアウタービジュアルボディ２１４が結合される。
【０１１６】
前記アウタービジュアルボディ２１４は、ビジュアルボディ２１０の構成であるが、本実施形態では、アッパーボディ１２０に固定される。本実施形態とは異なり、前記アウタービジュアルボディ２１４は、エアーウォッシュモジュール２００に固定されても構わない。本実施形態とは異なり、前記アウタービジュアルボディ２１４は、削除可能な構成である。
【０１１７】
前記アウタービジュアルボディ２１４は、アッパーボディ１２０に固定される。本実施形態において前記アウタービジュアルボディ２１４は、アッパーアウターボディ１２８に結合される。前記アウタービジュアルボディ２１４は、アッパーアウターボディ１２８の外側面が連続した面を形成する。
【０１１８】
アウタービジュアルボディ２１４は、内部を透視できる材質で形成される。前記アウタービジュアルボディ２１４は、透明であるか、半透明な材質で形成され得る。
【０１１９】
前記エアークリーンモジュール１００またはエアーウォッシュモジュール２００のうち、少なくともいずれか１つに作動状態をユーザに表示するディスプレイモジュール１６０が配置され得る。本実施形態では、前記ベースボディ１１０に加湿清浄装置の作動状態をユーザに表示するディスプレイモジュール１６０が設けられる。
【０１２０】
前記アウタービジュアルボディ２１４内側にディスプレイモジュール１６０が配置される。前記ディスプレイモジュール１６０は、アウタービジュアルボディ２１４の内側面に密着されるように配置される。前記ディスプレイモジュール１６０は、平面から見るとき、ドーナッツ状である。前記ディスプレイモジュール１６０の内側に前記水槽３００が挿入される。
前記ディスプレイモジュール１６０は、アウタービジュアルボディ２１４に支持される。前記ディスプレイモジュール１６０の内側縁は、アッパーインナーボディリング１２６に支持される。前記ディスプレイモジュール１６０は、エアーガイド１７０上側に位置する。前記ディスプレイモジュール１６０は、コネクタ２６０と一体に製作されることができる。
【０１２１】
前記ディスプレイモジュール１６０は、エアーガイド１７０上側に位置する。前記ディスプレイモジュール１６０は、アッパーアウターボディ１２８及びアッパーインナーボディ１４０間に配置されることができる。前記ディスプレイモジュール１６０は、ユーザがアッパーアウターボディ１２８及びアッパーインナーボディ１４０間を見ることができないようにカバーする。特に、前記アッパーアウターボディ１２８及びアッパーインナーボディ１４０間に水が浸透することを遮断するために、前記ディスプレイモジュール１６０の内側及び外側はシーリングされることが好ましい。
【０１２２】
前記ディスプレイモジュール１６０の内側は、アッパーインナーボディ１４０に支持され、外側は、アウタービジュアルボディ２１８に支持される。
本実施形態において前記ディスプレイモジュール１６０はリング形状に形成される。本実施形態とは異なり、前記ディスプレイモジュール１６０は、弧形状に形成されることができる。前記ディスプレイモジュール１６０の表面は、光を反射できる材質で形成されるか、光を反射できる材質がコーティングされる。
【０１２３】
これにより、前記ビジュアルボディ２１０に水が結ばれる場合、ビジュアルボディ２１０に結ばれた水がディスプレイモジュール１６０表面に投影されたり、反射されることができる。前記ビジュアルボディ２１０で結ばれた水が流れ落ちる場合、前記ディスプレイモジュール１６０にも同じ効果が表れる。
【０１２４】
このような効果は、ユーザに視覚的な刺激を与え、加湿がなされていることをユーザが直観的に認知できる。前記ディスプレイモジュール１６０に投影された水滴イメージは、ユーザに清涼感を与える感性的効果だけでなく、加湿状態を分かることができる機能的効果もある。
【０１２５】
前記ディスプレイモジュール１６０の上側面は、傾斜して形成される。前記ディスプレイモジュール１６０は、ユーザ側に傾斜して形成される。これにより、内側が高く、外側が低く形成される。
【０１２６】
次に、エアーウォッシュモジュール２００の各構成について説明する。
【０１２７】
前記エアーウォッシュモジュール２００は、ろ過空気に対して加湿を提供する。前記エアーウォッシュモジュール２００は、加湿流路１０６でレインビューを実現することができる。前記エアーウォッシュモジュール２００は、水槽３００の水を噴射し、これを循環させる。前記エアーウォッシュモジュール２００は、水を小さな大きさの液滴に変換させ、飛散した液滴を介してろ過空気を再度洗い落とす。飛散した水滴を介してろ過空気をウォッシング（ｗａｓｈｉｎｇ）するとき、加湿及びろ過が再度なされる。
【０１２８】
前記エアーウォッシュモジュール２００は、加湿連結流路１０５、加湿流路１０６、吐出流路１０７、及び給水流路１０９を備える。
【０１２９】
前記エアーウォッシュモジュール２００は、水槽３００、ウォータリングユニット４００、加湿媒体５０、ビジュアルボディ２１０、トップカバーアセンブリ２３０、及びハンドル１８０を備える。
【０１３０】
前記ハンドル１８０は、ビジュアルボディ２１０に結合され、前記ビジュアルボディ２１０で回転され、前記ビジュアルボディ２１０に収納される。前記ハンドル１８０を介してエアーウォッシュモジュール２００のみを簡便に持ち上げることができ、前記エアークリーンモジュール１００から分離することができる。
【０１３１】
前記加湿連結流路１０５は、水槽３００の外側に配置され、前記水槽３００の内部に空気を案内することができる。前記加湿連結流路１０５は、ビジュアルボディ２１０の外側に配置され、前記ビジュアルボディ２１０の内部に空気を案内することができる。
【０１３２】
前記加湿連結流路１０５は、水槽３００またはビジュアルボディ２１０のうち、少なくともいずれか１つの外側に配置され、水槽３００またはビジュアルボディ２１０のうち、いずれか１つの内部に空気を案内することができる。
【０１３３】
前記吐出流路１０７は、トップカバーアセンブリ２３０及びビジュアルボディ２１０の間に配置されることができる。前記吐出流路１０７は、トップカバーアセンブリ２３０またはビジュアルボディ２１０のうち、少なくともいずれか１つに配置されることができる。
【０１３４】
本実施形態では、トップカバーアセンブリ２３０の外側縁に吐出流路１０７が形成され、前記トップカバーアセンブリ２３０の内側中央に給水流路１０９が配置される。
【０１３５】
本実施形態に係る加湿清浄装置は、前記エアークリーンモジュール１００に電源が連結され、前記エアーウォッシュモジュール２００は、前記エアークリーンモジュール１００を介して電源の供給を受ける。
【０１３６】
前記エアーウォッシュモジュール２００が前記エアークリーンモジュール１００に対して分離可能な構造であるから、前記エアークリーンモジュール１００及びエアーウォッシュモジュール２００は、分離可能な電源供給構造が備えられる。
【０１３７】
前記エアークリーンモジュール１００及びエアーウォッシュモジュール２００は、前記アッパーボディ１２０を介して分離可能に組み立てられるので、前記アッパーボディ１２０には、前記エアーウォッシュモジュール２００に電源を提供するコネクタ２６０が配置される。
【０１３８】
前記エアーウォッシュモジュール２００のトップカバーアセンブリ２３０は、電源を必要とする操作部及びディスプレイが配置される。前記エアーウォッシュモジュール２００には、前記コネクタ２６０と分離可能に連結されるトップコネクタ２７０が配置される。前記トップコネクタ２７０は、トップカバーアセンブリ２３０に配置される。
【０１３９】
本実施形態では、前記トップカバーアセンブリ２３０を分離できるので、ビジュアルボディ２１０の内側面または水槽３００の内側面を簡便に掃除することができる。
【０１４０】
前記トップカバーアセンブリ２３０は、内側に給水流路１０９が形成され、ビジュアルボディ２１０との間に吐出流路１０７を形成させる。前記トップカバーアセンブリ２３０は、前記ビジュアルボディ２１０に対して分離可能に設けられる。前記トップカバーアセンブリ２３０は、コネクタ２６０と電気的に連結されるトップコネクタ２７０が配置される。
【０１４１】
前記トップカバーアセンブリ２３０が据え置かれるとき、トップコネクタ２７０がコネクタ２６０上側に据え置かれる。前記トップカバーアセンブリ２３０は、前記トップコネクタ２７０を介して前記コネクタ２６０から電気の供給を受ける。
【０１４２】
前記給水流路１０９の周りには、前記水槽３００の水位を表示する水位表示部（図示せず）が配置される。これにより、ユーザは、水を給水するとき、見えない水槽３００の水位がある程度満たされたかを確認することができる。このように、ユーザが水を給水する動線上に水位表示部を配置することにより、ユーザが水を過度に供給することを防止でき、水槽３００から水が溢れることを防止できる。
【０１４３】
前記水位表示部２４７は、前記トップカバーアセンブリ２３０に配置される。前記トップコネクタ２７０及びコネクタ２６０の分離可能な電源供給構造は、上部給水を効果的に構成できるようにする。
【０１４４】
前記水槽３００は、前記アッパーボディ１２０に分離可能に据え置かれる。前記ウォータリングユニット４００は、前記水槽３００内部に配置され、前記水槽３００内部で回転される。
【０１４５】
前記水槽３００は、水が保存される水槽ボディ３２０と、前記水槽ボディ３２０の側面に形成されたエアーウォッシュ流入口３１と、前記水槽ボディ３２０から上側へ延びて形成され、前記ビジュアルボディ２１０に結合される水槽ボディ延長部３８０とを備える。
【０１４６】
本実施形態において前記水槽ボディ３２０は、上側が開口した円筒形に形成される。本実施形態とは異なり、前記水槽ボディ３２０は、様々な形状に形成されることができる。
【０１４７】
前記水槽ボディ延長部３８０は、前記水槽３００から上側へ延びて形成される。前記水槽ボディ延長部３８０は、前記エアーウォッシュ流入口３１を形成させる。前記水槽ボディ延長部３８０間に前記エアーウォッシュ流入口３１が形成される。
【０１４８】
前記エアーウォッシュ流入口３１は、水槽ボディ３２０の側面に形成される。前記エアーウォッシュ流入口３１は、水槽ボディ３２０に対して３６０度全方向に形成される。前記エアーウォッシュ流入口３１は、加湿連結流路１０５と連通される。
【０１４９】
前記水槽ボディ延長部３８０は、前記ビジュアルボディ２１０の内側面から流れ落ちる水を前記水槽３００内部に案内する。前記ビジュアルボディ２１０から流れ落ちる水を案内することによって落水騷音を最小化することができる。
【０１５０】
前記水槽ボディ延長部３８０は、ビジュアルボディ２１０の下端に締め付けられる。
【０１５１】
本実施形態では、前記水槽ボディ３２０の構成を介してエアーウォッシュ流入口３１が形成される。本実施形態とは異なり、前記ビジュアルボディ２１０に水槽ボディ延長部３８０を配置してエアーウォッシュ流入口３１を形成させることもできる。また、本実施形態とは異なり、複数個の水槽ボディ延長部３８０のうちの一部は水槽３００に配置し、複数個の水槽ボディ延長部３８０のうちの残りはビジュアルボディ２１０に配置し、エアーウォッシュ流入口３１を構成することができる。また、本実施形態とは異なり、ビジュアルボディ２１０及び水槽３００と区分される別の構成にエアーウォッシュ流入口３１を形成させることができる。また、本実施形態とは異なり、ビジュアルボディ２１０に開口面を形成してエアーウォッシュ流入口３１を形成させ、水槽３００にも開口面を形成してエアーウォッシュ流入口３１を形成させることができる。
【０１５２】
すなわち、前記エアーウォッシュ流入口３１は、水槽３００またはビジュアルボディ２１０のうち、少なくともいずれか１つに配置されることができる。前記エアーウォッシュ流入口３１は、水槽３００及びビジュアルボディ２１０の結合によって形成されることができる。前記エアーウォッシュ流入口３１を水槽３００及びビジュアルボディ２１０と区分される別の構成に配置した後、これを水槽３００及びビジュアルボディ２１０間に配置することができる。前記エアーウォッシュ流入口３１は、前記水槽３００及びビジュアルボディ２１０の結合によって形成されることができる。
【０１５３】
前記エアーウォッシュ流入口３１は、エアーウォッシュモジュール２００の側部に配置され、加湿流路１０６と連結される。前記エアーウォッシュ流入口３１は、加湿連結流路１０５と連通または連結されることができる。
【０１５４】
前記ウォータリングユニット４００は、加湿媒体５０に水を供給する機能がある。前記ウォータリングユニット４００は、加湿過程を視角化する機能がある。前記ウォータリングユニット４００は、エアーウォッシュモジュール２００内部にレインビューを実現する機能がある。
【０１５５】
前記ウォータリングユニット４００は、ウォータリングハウジング８００を回転させて前記水槽内部の水を吸入し、吸入された水を上側に揚水し、揚水された水を半径方向外側に噴射する。前記ウォータリングユニット４００は、水を内部に吸入し、吸入された水を上側に揚水した後、半径方向外側に噴射させるウォータリングハウジング８００を備える。
【０１５６】
本実施形態では、水を噴射させるために、ウォータリングハウジング８００を回転させる。本実施形態とは異なり、前記ウォータリングハウジング８００の代わりに、ノズルを使用して水を噴射しても構わない。ノズルで水を噴射して加湿媒体５０に水を供給でき、レインビューも同様に実現することができる。実施形態によって、ノズルで水を噴射し、ノズルを回転させることもできる。
【０１５７】
前記ウォータリングハウジング８００から噴射された水が前記加湿媒体５０を濡らす。前記ウォータリングハウジング８００から噴射された水は、前記ビジュアルボディ２１０または加湿媒体５０のうち、少なくともいずれか１つに向かって噴射されることができる。
【０１５８】
ビジュアルボディ２１０に向かって噴射される水は、レインビューを実現することができる。加湿媒体５０に向かって噴射される水は、ろ過空気を加湿するのに用いられる。ビジュアルボディ２１０に向かって水を噴射してレインビューを実現した後、ビジュアルボディ２１０から流れ落ちた水が加湿媒体５０を濡らすように実現することができる。
【０１５９】
本実施形態では、ウォータリングハウジング８００に高さの異なる複数個の噴射口を配置する。いずれか１つの噴射口から吐出された水がビジュアルボディ２１０の内側面に液滴を形成してレインビューを実現し、残りの１つの噴射口から吐出された水が加湿媒体５０を濡らして加湿に用いられる。
【０１６０】
前記ウォータリングハウジング８００は、前記ビジュアルボディ２１０の内側面に向かって水を噴射し、噴射された水は、前記ビジュアルボディ２１０の内側面に沿って下方へ流れ落ちる。前記ビジュアルボディ２１０の内側面には、水滴形態で結ばれた液滴が形成され、ユーザは、前記ビジュアルボディ２１０を介して前記液滴を見ることができる。
【０１６１】
特に、ビジュアルボディ２１０から流れ落ちた水は、加湿媒体５０を濡らして加湿に用いられる。前記加湿媒体５０は、ウォータリングハウジング８００から噴射された水及びビジュアルボディから流れ落ちた水により濡らされることができる。
【０１６２】
前記ビジュアルボディ２１０は、前記水槽３００と結合され、前記水槽３００の上側に位置する。前記ビジュアルボディ２１０の少なくとも一部は、内部を透視できる材質で形成される。
【０１６３】
前記ビジュアルボディ２１０の外側にディスプレイモジュール１６０が配置され得る。前記ディスプレイモジュール１６０は、ビジュアルボディ２１０またはアッパーボディ１２０のうち、いずれか１つに結合されることができる。
【０１６４】
前記ディスプレイモジュール１６０は、レインビューを観察できる視線上に配置される。本実施形態において前記ディスプレイモジュール１６０は、前記アッパーボディ１２０に配置される。
【０１６５】
前記エアーウォッシュモジュール２００が据え置かれるとき、前記ビジュアルボディ２１０の外側面が前記ディスプレイモジュール１６０に密着される。前記ディスプレイモジュール１６０の表面のうち、少なくとも一部は、光を反射する材質で形成されるか、コーティングされることができる。
【０１６６】
前記ビジュアルボディ２１０に結ばれた液滴は、前記ディスプレイモジュール１６０の表面にも投影される。これにより、ユーザは、前記ビジュアルボディ２１０及びディスプレイモジュール１６０の２ヶ所で液滴の動きを観察できる。
【０１６７】
前記水槽３００には、空気が通じるエアーウォッシュ流入口３１が形成される。前記エアーウォッシュ流入口３１は、連結流路１０３及び加湿流路１０６間に位置する。前記エアーウォッシュ流入口３１は、連結流路１０３の出口であり、加湿流路１０６の入口である。
【０１６８】
前記エアークリーンモジュール１００から供給されたろ過空気は、前記エアーウォッシュ流入口３１を介して前記エアーウォッシュモジュール２００内部に流動する。
【０１６９】
前記加湿媒体５０は、加湿流路１０６入口に配置される水槽加湿媒体５１及び加湿流路１０６出口に配置される吐出加湿媒体５５を備える。前記加湿流路１０６の出口と吐出流路１０７の入口とは、互いに連結される。これにより、前記吐出加湿媒体５５が吐出流路１０７に配置されても構わない。
【０１７０】
前記連結流路１０３、加湿流路１０６、及び吐出流路１０７はダクトなどのような構造物を介して形成されるものではないため、その境界を明確に区分し難い。ただし、加湿がなされる加湿流路１０６を水槽加湿媒体５１及び吐出加湿媒体５５間と定義する場合、連結流路１０３及び吐出流路１０７が自然に定義される。
【０１７１】
前記連結流路１０３は、送風ハウジング１５０及び水槽加湿媒体５１間と定義される。前記吐出流路１０７は、吐出加湿媒体５５以後と定義される。
【０１７２】
本実施形態において前記水槽加湿媒体５１は、水槽３００のエアーウォッシュ流入口３１に配置される。
【０１７３】
前記水槽加湿媒体５１は、エアーウォッシュ流入口３１と同一平面上、外側、または内側のうち、少なくともいずれか１つに位置し得る。前記水槽加湿媒体５１は、加湿のために水が濡らされるので、前記エアーウォッシュ流入口３１の内側に位置することが好ましい。
【０１７４】
前記水槽加湿媒体５１を濡らした後、流れ落ちた水は、前記水槽３００に保存されることが好ましい。前記水槽加湿媒体５１を濡らした後、流れ落ちた水が前記水槽３００外部に流れ落ちないように配置されることが好ましい。
【０１７５】
これにより、前記水槽加湿媒体５１は、前記エアーウォッシュ流入口３１を通過するろ過空気に対して加湿を提供する。
【０１７６】
前記加湿媒体５０で自然蒸発された水によりろ過空気が加湿される。前記自然蒸発は、別の熱を加えなかった状態で水が蒸発されることをいう。空気との接触が増加するほど、空気の流速が速くなるほど、空気中の圧力が低くなるほど、自然蒸発が促進される。前記自然蒸発を自然気化と指すこともある。
【０１７７】
前記加湿媒体５０は、水の自然蒸発を促進させる。本実施形態において前記加湿媒体５０は、水に濡らされるが、水槽３００には浸らない。
【０１７８】
前記水槽３００に保存された水と離間し、分離されて配置されるので、水槽３００に保存された水があっても水槽加湿媒体５１及び吐出加湿媒体５５は、常に濡らされた状態ではない。すなわち、加湿モードで作動されるときにのみ水槽加湿媒体５１及び吐出加湿媒体５５が濡らされた状態であり、空気清浄モードで作動されるときには、水槽加湿媒体５１及び吐出加湿媒体５５が乾燥された状態で維持されることができる。
【０１７９】
前記水槽加湿媒体５１は、前記エアーウォッシュ流入口３１をカバーし、空気は、前記水槽加湿媒体５１を貫通して前記水槽３００内部に流動する。
【０１８０】
前記吐出加湿媒体５５は、加湿流路１０６の出口または吐出流路１０７入口に配置されることができる。
【０１８１】
本実施形態において前記吐出加湿媒体５５は、ビジュアルボディ２１０の上部をカバーするように配置される。前記吐出加湿媒体５５は、ビジュアルボディ２１０に据え置かれる。本実施形態とは異なり、吐出加湿媒体５５は、トップカバーアセンブリ２３０の底面に結合されることができる。
【０１８２】
前記吐出加湿媒体５５は、前記吐出流路１０７をカバーし、加湿空気は、前記吐出加湿媒体５５を貫通した後、吐出流路１０７に流動する。
【０１８３】
以下、前記吐出流路１０７を形成するトップカバーアセンブリ２３０について説明する。
【０１８４】
図７は、図２に示されたエアーウォッシュモジュールからトップカバーアセンブリが分離された斜視図であり、図８は、図７に示されたトップカバーアセンブリ及び吐出加湿媒体ハウジングの分離斜視図であり、図９は、図８の下側から見た斜視図であり、図１０は、図８の正面図であり、図１１は、図１０のＡ−Ａに沿って切断された断面図であり、図１２は、図８のトップカバーアセンブリから上部操作ハウジングが分離された分解斜視図であり、図１３は、図１２の下側から見た斜視図である。
【０１８５】
本実施形態において前記水槽３００及びビジュアルボディ２１０は、別の部品で製作される。本実施形態とは異なり、前記水槽３００は、ビジュアルボディ２１０と一体に製作されることができる。例えば、二重射出を介して前記水槽３００の一部構成を透明な材質で形成することができる。この場合、ビジュアルボディ２１０は、別の部品で製作されない。
【０１８６】
本実施形態では、トップカバーアセンブリ２３０がビジュアルボディ２１０に据え置かれることと説明するが、本実施形態とは異なり、ビジュアルボディ２１０が水槽３００と一体化される場合、水槽３００の開口した上側に据え置かれることができる。
【０１８７】
本実施形態において前記トップカバーアセンブリ２３０は、ビジュアルボディ２１０に分離可能に据え置かれるという特徴がある。前記トップカバーアセンブリ２３０は、吐出流路１０７を提供するだけでなく、給水のための給水流路１０９も提供する。
【０１８８】
本実施形態において前記トップカバーアセンブリ２３０は、吐出加湿媒体５５の上側に位置する。本実施形態では、前記吐出加湿媒体５５が配置された吐出加湿媒体ハウジング１４００が配置され、前記吐出加湿媒体ハウジング１４００の上部に前記トップカバーアセンブリ２３０が配置される。前記吐出加湿媒体ハウジング１４００は、ビジュアルボディ２３０の上部に据え置かれる。前記トップカバーアセンブリ２３０は、吐出加湿媒体ハウジング１４００の上部に据え置かれる。前記トップカバーアセンブリ２３０は、吐出加湿媒体ハウジング１４００と一体に組み立てられることができる。本実施形態では、トップカバーアセンブリ２３０及び吐出加湿媒体ハウジング１４００が各々製作される。
【０１８９】
前記トップカバーアセンブリ２３０は、ビジュアルボディ２１０に据え置かれて支持され、前記吐出加湿媒体ハウジング１４００には荷重を加えない。
【０１９０】
前記吐出加湿媒体ハウジング１４００は、吐出加湿媒体５５が内部に配置され、ビジュアルボディ２１０の上部をカバーする。給水流路１０９は、前記吐出加湿媒体ハウジング１４００を通過するように構成される。吐出流路１０７は、前記吐出加湿媒体ハウジング１４００を通過するように構成される。
【０１９１】
前記トップカバーアセンブリ２３０は、吐出流路１０７及び給水流路１０９を形成するトップカバーグリル２３２と、前記トップカバーグリル２３２に設けられる操作モジュール２４０と、前記操作モジュール２４０に電源または信号を提供するトップコネクタ２７０とを備える。
【０１９２】
前記トップカバーグリル２３２は、吐出流路１０７のうち、少なくとも一部を形成するグリル吐出口２３１と、給水流路１０９のうち、少なくとも一部を形成するグリル給水口２３３とを備える。前記グリル吐出口２３１及びグリル給水口２３３は、上下方向に開口して形成される。前記グリル給水口２３３は、トップカバーグリル２３２の内側中央に配置され、前記グリル吐出口２３１は、前記グリル給水口２３３の外側に配置される。
【０１９３】
前記トップカバーグリル２３２は、ビジュアルボディ２１０に分離可能に据え置かれる。前記トップカバーグリル２３２は、ビジュアルボディ２１０の内側に据え置かれる。
【０１９４】
前記操作モジュール２４０は、トップカバーグリル２３２に結合される。前記操作モジュール２４０は、ユーザの操作信号を受信することができる。前記操作モジュールは、ユーザに水位情報を伝達する。前記操作モジュール２４０に給水流路１０９が配置される。前記操作モジュール２４０は、トップコネクタ２７０と電気的に連結され、前記トップコネクタ２７０から電源の提供を受ける。
【０１９５】
前記操作モジュール（２４０、ｏｐｅｒａｔｉｏｎ  ｍｏｄｕｌｅ）は、吐出グリル２３２と結合され、内側に給水流路１０９のうち、少なくとも一部が形成された操作ハウジング２５０と、前記操作ハウジング２５０内部に形成された操作空間２４３と、前記操作ハウジング２５０に配置された入力部２４５と、前記操作ハウジング２５０に配置された水位表示部２４７と、前記入力部２４５及び水位表示部２４７を制御する操作制御部２４６とを備える。
【０１９６】
前記操作ハウジング２５０は、上部操作ハウジング２４２及び下部操作ハウジング２４４を備える。
【０１９７】
前記上部操作ハウジング２４２及び下部操作ハウジング２４４間に前記操作空間２４３が形成され、前記操作空間２４３は、水が浸透しないようにシーリングされる。前記操作空間２４３に前記入力部２４５、水位表示部２４７、及び操作制御部２４６が配置される。
【０１９８】
前記操作モジュール２４０には、給水流路１０９が形成される。前記操作モジュール２４０の中央に上下方向に給水流路１０９の一部が形成される。前記操作モジュール２４０には、給水流路１０９のうち、少なくとも一部を形成する操作給水口２４１が配置され得る。前記操作給水口２４１は、操作ハウジングの内側に配置され、上下方向に開口して形成される。
【０１９９】
前記操作給水口２４１は、インナーウォール２４８により形成される。前記インナーウォール２４８は、上部操作ハウジング２４２または下部操作ハウジング２４４のうち、少なくともいずれか１つに配置されることができる。本実施形態では、前記下部操作ハウジング２４４及びインナーウォール２４８が一体に製作される。本実施形態とは異なり、前記上部操作ハウジング２４２及びインナーウォール２４８が一体に製作されることもできる。これにより、前記上部操作ハウジング２４２、下部操作ハウジング２４４、及びインナーウォール２４８間に前記操作空間２４３が形成される。
【０２００】
本実施形態に示されてはいないが、前記給水流路１０９上または水槽３００に前記浄水フィルタ（図示せず）が設けられ得る。前記浄水フィルタは、硬水を軟水に浄水することができる。前記浄水フィルタが配置される場合、操作ハウジングに配置され、重力により軟水化された後、水槽３００へ移動されることが好ましい。
【０２０１】
前記上部操作ハウジング２４２には、上部給水される水を前記操作給水口２４１に案内する上部給水ガイド２３６が配置される。前記上部給水ガイド２３６は、別の部品で製作されるか、前記上部操作ハウジング２４２が一部面を活用できる。
【０２０２】
本実施形態に係る前記上部操作ハウジング２４２は、インナー傾斜面２４２−１及びアウター傾斜面２４２−２を備える。前記上部給水ガイド２３６は、インナー傾斜面２４２−１に形成されることができる。
【０２０３】
前記操作給水口２４１と隣接した上部操作ハウジング２４２の内側を傾斜して形成し、前記上部給水ガイド２３６を形成する。
【０２０４】
前記アウター傾斜面２４２−２は、上部給水ガイド２３６と傾斜方向が反対に形成される。インナー傾斜面２４２−１が操作給水口２４１に向かって傾斜して形成されるならば、アウター傾斜面２４２−２は、外側に向かって傾斜して形成される。
【０２０５】
前記上部給水ガイド２３６は、インナー傾斜面２４２−１であって、その構成が制限されない。上部給水ガイドがホッパー形態の構造物でありうる。前記トップカバーアセンブリ２３０上側に別の水タンクが配置され、前記上部給水ガイドが水タンクと操作給水口２４１とを連結できる。上部給水ガイドは、水を案内するための流路でありうる。
【０２０６】
前記入力部２４５は、ユーザのタッチ操作を感知できるタッチパネルでありうる。入力部２４５は、減圧式または静電容量方式でユーザのタッチ操作を受信することができる。本実施形態とは異なり、前記入力部２４５は、ボタンでありうる。
【０２０７】
前記入力部２４５は、上部操作ハウジング２４２の底面に配置される。前記入力部２４５は、発光部材（図示せず）が配置され得るし、選択的に前記発光部材から光が発生し得る。
【０２０８】
例えば、ユーザの操作信号を受信する必要があるとき、前記入力部２４５が発光され得る。例えば、ユーザが入力した操作信号をユーザに認知させる必要があるとき、入力部２４５が発光され得る。また、ユーザが入力した操作信号によって加湿清浄装置が作動されるとき、発光されることができる。
【０２０９】
前記上部操作ハウジング２４２の表面は、光を選択的に透過できる材質がコーティングされ得る。これにより、前記入力部２４５で発光された光は、上部操作ハウジング２４２を透過でき、ユーザはこれを見ることができる。前記入力部２４５が発光されないとき、外部の光は、前記上部操作ハウジング２４２の表面で反射され、ユーザは、入力部２４５の位置を確認できない。
【０２１０】
前記入力部２４５は、アウター傾斜面２４２−２の下側に配置される。前記水位表示部２４７は、インナー傾斜面２４２−１の下側に配置される。
【０２１１】
入力部２４５、操作給水口２４１、及び水位表示部２４７は、一直線上に配置されることができる。特に、前記入力部２４５、操作給水口２４１、及び水位表示部２４７は、ユーザの視線で一直線上に配置されることができる。
【０２１２】
入力部２４５が前方に位置し、入力部２４５の後方に操作給水口２４１が位置し、水位表示部２４７が操作給水口２４１の後方に配置され得る。
【０２１３】
これにより、ユーザが上部給水するとき、操作給水口２４１に水を注ぎながら水位表示部２４７を確認できる。
【０２１４】
前記操作ハウジング２５０に前記入力部２４５が表示される入力部表示領域２５５と、水位表示部２４７が表示される水位表示領域２５７とが配置される。
【０２１５】
前記インナー傾斜面２４２−１及びアウター傾斜面２４２−２は、操作給水口２４１を基準とするときは傾斜方向が反対であるが、ユーザの視線方向では傾斜方向が同じでありうる。
【０２１６】
前記入力部表示領域２５５は、アウター傾斜面２４２−２に配置され、水位表示領域２５７は、インナー傾斜面２５７に配置される。前記入力部表示領域２５５及び水位表示領域２５７は、ユーザの視線に対して同じ方向に傾斜して配置されることができる。
【０２１７】
前記入力部表示領域２５５及び水位表示領域２５７は、前方に向かって傾斜して配置されることができる。
【０２１８】
前記操作制御部２４６は、前記入力部２４５の信号を感知し、前記入力部２４５の信号を分析して制御部（図示せず）に伝達する。前記制御部は、ベースボディ１１０に配置されることができる。
【０２１９】
前記入力部２４５は、上部操作ハウジング２４２に隠匿されることができ、作動時にのみ発光されて、ユーザに位置が露出し得る。前記入力部２４５、水位表示部２４７、及び操作制御部２４６の電源は、ベースコネクタ２６０を介して提供される。
【０２２０】
前記操作空間２４３は、水が浸透できないようにシーリングされる。このために、上部操作ハウジング２４２及び下部操作ハウジング２４４間にガスケット２４９が設けられる。
【０２２１】
操作ハウジング２５０及びトップコネクタ２７０は、各々製作された後、組み立てられる。本実施形態では、前記下部操作ハウジング２４４を介して操作制御部２４６及びトップコネクタ２７０が連結される。前記下部操作ハウジング２４４には、トップコネクタ２７０との連結のためのコネクタ連結ホール２４４ｂが形成される。
【０２２２】
前記トップコネクタ２７０の一部は、前記コネクタ連結ホール２４４ｂを貫通して挿入され、前記操作空間２４３内部の部品等と電気的に連結される。前記トップコネクタ２７０が下部操作ハウジング２４４を介して結合されるので、シーリング構造をより容易に構成できる。アウター傾斜面２４２−２に水が流れ落ちても前記コネクタ連結ホール２４４ｂに水が浸透されない。
【０２２３】
前記トップコネクタ２７０は、操作モジュール２４０と組み立てられてトップカバーアセンブリ２３０を構成する。前記トップコネクタ２７０及びベースコネクタ２６０を分離できるので、トップカバーアセンブリ２３０をビジュアルボディ２１０に分離可能に据え置くことができ、ベースボディ１１０から電源または電気信号を送受信できる。
【０２２４】
前記トップコネクタ２７０がベースコネクタ２６０の上側に据え置かれるとき、ベースコネクタ２６０と電気的に連結され、前記トップコネクタ２７０がベースコネクタ２６０から分離されるとき、ベースコネクタ２６０と電気的に断絶される。
【０２２５】
前記トップコネクタ２７０は、別の構造物無しで、前記ベースコネクタ２６０の上側に据え置かれることができる。例えば、トップカバーアセンブリ２３０がビジュアルボディ２１０に据え置かれるとき、ビジュアルボディ２１０の外側にトップコネクタ２７０及びベースコネクタ２６０が位置する構造でありうる。
【０２２６】
本実施形態では、ビジュアルボディ２１０の内側にトップコネクタ２７０が位置するので、前記ビジュアルボディ２１０の上側に前記トップコネクタ２７０が配置され、前記ビジュアルボディ２１０の下側に前記ベースコネクタ２６０が配置される。
【０２２７】
すなわち、トップコネクタ２７０及びベースコネクタ２６０は、ビジュアルボディ２１０を境界として分離される。これにより、前記トップコネクタ２７０及びベースコネクタ２６０は、ビジュアルボディ２１０を介して電源及び信号を伝達しなければならない。
【０２２８】
本実施形態において前記トップコネクタ２７０及びベースコネクタ２６０は、直接接触を介して電気的に連結され、これを介して電源を提供する。
【０２２９】
本実施形態において前記トップコネクタ２７０及びベースコネクタ２６０は、無線通信を介して信号を伝達する。本実施形態とは異なり、直接接触を介して通信信号を伝達することもできる。
【０２３０】
前記ビジュアルボディ２１０は、前記トップコネクタ２７０が据え置かれるコネクタ据え置き部２１２が形成される。前記コネクタ据え置き部２１２にトップコネクタ２７０の少なくとも一部が据え置かれる。前記コネクタ据え置き部２１２の上側にトップコネクタ２７０が位置し、下側にベースコネクタ２６０が位置する。
【０２３１】
前記トップコネクタ２７０は、前記コネクタ据え置き部２１２に据え置かれるとき、水平移動が制限される。このために、前記ビジュアルボディ２１０は、前記トップコネクタ２７０の水平移動を制限するコネクタ係止部２１１が形成される。トップコネクタ２７０が据え置かれるとき、前記コネクタ係止部２１１は、トップコネクタ２７０の側部に密着される。
【０２３２】
前記ビジュアルボディ２１０には、コネクタ開口部２１３が配置される。前記コネクタ開口部２１３は、ビジュアルボディ２１０を貫通するように形成される。前記コネクタ開口部２１３は、上下方向に開口して形成される。
【０２３３】
前記コネクタ開口部２１３とコネクタ据え置き部２１２とは、互いに異なる位置に配置されることができる。本実施形態では、コネクタ据え置き部２１２にコネクタ開口部２１３が配置される。前記コネクタ据え置き部２１２の一部が開口して前記コネクタ開口部２１３を形成する。
【０２３４】
前記トップコネクタ２７０またはベースコネクタ２６０のうち、少なくともいずれか１つに第１のコネクタ電極２６１が配置され、他の１つに第２のコネクタ電極２７１が配置され得る。
【０２３５】
トップコネクタ２７０またはベースコネクタ２６０のうち、いずれか１つに配置された前記第１のコネクタ電極２６１がコネクタ開口部２１３を貫通し、他の１つに配置された第２のコネクタ電極２７１と接触される。
【０２３６】
前記第１のコネクタ電極２６１及び第２のコネクタ電極２７１の接触の際に電気的に連結され、分離の際に電気的に断絶される。
【０２３７】
本実施形態において前記第１のコネクタ電極２６１は、ベースコネクタ２６０に配置され、前記第２のコネクタ電極２７１は、トップコネクタ２７０に配置される。本実施形態とは異なり、トップコネクタ２７０に第１のコネクタ電極が配置され、ベースコネクタ２６０に第２のコネクタ電極が配置され得る。
【０２３８】
前記トップコネクタ２７０は、トップコネクタハウジング２７２及びトップコネクタカバー２７４を備える。本実施形態において前記トップコネクタハウジング２７２は、トップカバーグリル２３２と一体に製作される。本実施形態とは異なり、前記トップコネクタハウジング２７２は、別に製作された後、トップカバーグリル２３２に組み立てられることができる。
【０２３９】
前記トップコネクタハウジング２７２は、下側面が開口して形成される。前記トップコネクタカバー２７４は、トップコネクタハウジング２７２と組み立てられ、開口した前記トップコネクタハウジング２７２の底面をカバーする。
【０２４０】
前記ベースコネクタ２６０及びトップコネクタ２７０は、電源を除いた電気信号を非接触方式で通信する。ベースコネクタ２６０及びトップコネクタ２７０間の無線通信のために様々な通信モジュールが使用され得る。
【０２４１】
前記ベースコネクタ２６０及びトップコネクタ２７０は、近距離に配置されるので、近距離通信に適したＩＲ、Ｚｉｇｂｅｅ、ＮＦＣ、ブルートゥースなどが使用され得る。
【０２４２】
本実施形態では、ＩＲ信号によってベースコネクタ２６０及びトップコネクタ２７０が通信する。前記ＩＲ信号を伝達するために、前記コネクタ据え置き部２１２は、ＩＲ信号を通過させ得る材質でなければならない。本実施形態において前記コネクタ据え置き部２１２は、透明な材質で形成される。前記ビジュアルボディ２１０の全体が光を透過できる透明な材質で形成されるので、前記コネクタ据え置き部２１２のみのために別の材質が配置される必要はない。
【０２４３】
前記ベースコネクタ２６０には、前記ＩＲ信号を透過させ得るベースコネクタウィンドウ２６３が配置される。前記トップコネクタ２７０には、前記ＩＲ信号を透過させ得るトップコネクタウィンドウ２７３が配置される。
【０２４４】
前記トップコネクタウィンドウ２７３の上側にトップコネクタ通信部２７５が配置される。前記ベースコネクタウィンドウ２６３の下側にベースコネクタ通信部２６５が配置される。
【０２４５】
前記トップコネクタ通信部２７５から送信された信号は、前記トップコネクタウィンドウ２７３、コネクタ据え置き部２１２、及びベースコネクタウィンドウ２６３を経てベースコネクタ通信部２６５で受信される。
【０２４６】
逆に、ベースコネクタ通信部２６５から送信された信号は、ベースコネクタウィンドウ２６３、コネクタ据え置き部２１２、及びトップコネクタウィンドウ２７３を経てトップコネクタ通信部２７５で受信される。
【０２４７】
前記トップコネクタ通信部２７５からベースコネクタ通信部２６５に送信される信号は、前記操作モジュール２４０に入力されたユーザの操作信号でありうる。前記ベースコネクタ通信部からトップコネクタ通信部２７５に送信される信号は、水位表示部２４７を制御するための信号でありうる。
【０２４８】
一方、前記トップカバーアセンブリ２３０の下側には、吐出加湿媒体ハウジング１４００が配置される。ユーザは、前記トップカバーアセンブリ２３０に形成された操作給水口２４１を介して水を給水できる。
【０２４９】
本実施形態に係る前記トップカバーアセンブリ２３０は、操作給水口２４１を介して給水キャップ４３０が露出する。
【０２５０】
前記吐出加湿媒体ハウジング１４００は、外側に空気が通過され、内側には水が通過され得る。空気は、下側から上側に通過され、水は、上側から下側に通過される。
【０２５１】
前記吐出加湿媒体ハウジング１４００は、外側に空気が通過される吐出流路１０７を提供し、内側に水が通過される給水流路１０９を提供する。
【０２５２】
前記吐出加湿媒体ハウジング１４００は、アッパーハウジング１４１０、ロアハウジング１４２０、及び給水キャップ１４３０を備える。前記アッパーハウジング１４１０及びロアハウジング１４２０間に前記吐出加湿媒体５５が配置される。
【０２５３】
前記アッパーハウジング１４１０及びロアハウジング１４２０は、複数個の空隙が形成される。前記アッパーハウジング１４１０及びロアハウジング１４２０は、全体的にドーナッツ状で形成される。
【０２５４】
前記アッパーハウジング１４１０及びロアハウジング１４２０の開口した内側に前記給水キャップ１４３０が組み立てられる。前記給水キャップ１４３０は、前記アッパーハウジング１４１０及びロアハウジング１４２０のうち、いずれか１つと結合され、分離可能である。
【０２５５】
前記給水キャップ１４３０の外側には、給水リザーバ１４４１が形成され、給水流路１０９を介して供給された水を一時保存する。前記給水リザーバ１４４１に給水口１４４５が配置され、前記給水口１４４５は、水を加湿流路１０６に案内する。
【０２５６】
前記吐出加湿媒体ハウジング１４００には、リザーバウォール１４４４が形成される。前記リザーバウォール１４４４及び給水キャップ１４３０間に前記給水リザーバ１４４１が形成される。
【０２５７】
前記リザーバウォール１４４４は、前記アッパーハウジング１４１０またはロアハウジング１４２０のうち、少なくともいずれか１つに形成されることができる。
【０２５８】
ユーザは、トップカバーアセンブリ２３０の上側で水を供給できる。操作給水口２４１に落下した水は、給水キャップ１４３０の表面に沿って流れて給水リザーバ１４４１に一時保存された後、給水口１４４５を介して吐出加湿媒体ハウジング１４００の下部に流動する。
【０２５９】
前記給水口１４４５を通過した水は、ビジュアルボディ２１０の内部に落下した後、ウォータリングハウジング８００の上部に落下する。
【０２６０】
前記ウォータリングハウジング８００が回転される場合、上部給水を介して供給された水は、ビジュアルボディ２１０の内側面に飛散する。その後、飛散した水は、前記ビジュアルボディ２１０の内側面に沿って流れて水槽３００の内部に保存され、水槽３００の水位を上昇させる。
【０２６１】
制御部は、水位感知センサ（図示せず）で感知された信号を判断し、水位表示部２４７に水槽３００の水位を表示する。
【０２６２】
ユーザは、上部給水の際、水槽３００内部の水位を見ることができないが、操作給水口２４１の周りに配置された水位表示部２４７を介して上昇された水位を直ちに確認できる。
【０２６３】
ユーザは、上部給水中に水位表示部２４７を介して水位を確認できるので、上部給水流量を調節できる。
【０２６４】
一方、本実施形態では、トップカバーアセンブリ２３０がビジュアルボディ２１０から分離可能な構造として説明された。
【０２６５】
本実施形態とは異なり、前記トップカバーアセンブリ２３０は、分離可能でない構造でも構わない。すなわち、前記トップカバーアセンブリ２３０がビジュアルボディ２１０に組み立てられても、固定されても構わない。また、前記トップカバーアセンブリ２３０がビジュアルボディと一体化された水槽に固定されても構わない。前記トップカバーアセンブリ２３０がビジュアルボディまたは水槽に固定された状態でトップコネクタ及びベースコネクタが連結され得る。
【０２６６】
以上では、本発明の好ましい実施形態について図示し説明したが、本発明は、上述した特定の実施形態に限定されず、特許請求の範囲で請求する本発明の要旨を逸脱せず、当該発明の属する技術分野における通常の知識を有する者により様々な変形実施が可能であることはもちろんであり、このような変形実施等は、本発明の技術的思想や展望から個別的に理解されてはならないであろう。
【図１】
2018536135.tif 000003
【図２】
2018536135.tif 000004
【図３】
2018536135.tif 000005
【図４】
2018536135.tif 000006
【図５】
2018536135.tif 000007
【図６】
2018536135.tif 000008
【図７】
2018536135.tif 000009
【図８】
2018536135.tif 000010
【図９】
2018536135.tif 000011
【図１０】
2018536135.tif 000012
【図１１】
2018536135.tif 000013
【図１２】
2018536135.tif 000014
【図１３】
2018536135.tif 000015
【国際調査報告】
2018536135.tif 000016
2018536135.tif 000017
2018536135.tif 000018
2018536135.tif 000019